(57)【要約】【課題】  第１の操作子及び第２の操作子をともに単一の操作面に設けるとともに第２の操作子を常に操作可能なように露出させることで操作性を向上し、かつ、蓋体を円滑に開閉させることができる電子機器を提供する。【解決手段】  電子機器１０は、蓋体１２、主操作子１３、副操作子１４、移動機構１５及び操作面１６等を備えている。主操作子１３及び副操作子１４は、単一の操作面１６に設けられている。主操作子１３は、操作面１６に対して副操作子１４より突出している。蓋体１２は、主操作子１３を貫通させる孔１７を有し、操作面１６の下端部近傍に軸支されている。蓋体１２は、操作面１６を覆う閉状態と操作面１６を開放する開状態とに変位する。移動機構１５は、主操作子１３を操作面１６に対して垂直方向に移動させる。【選択図】  図２
2006165199.tif 000002
【特許請求の範囲】
【請求項１】
操作面と、
前記操作面に設けられた第１の操作子と、
前記操作面に設けられ前記操作面に対して前記第１の操作子より突出した第２の操作子と、
前記第２の操作子を貫通させる孔を有するとともに前記操作面の一端部近傍に軸支され前記操作面を覆う閉状態と前記操作面を開放する開状態とに変位する蓋体と、
前記第２の操作子を前記操作面に対して垂直方向に移動させる移動機構と、を備えることを特徴とする電子機器。
【請求項２】
前記蓋体は、前記操作面からの突出量が小さくなる方向への前記第２の操作子の移動に応じて閉状態から開状態へ変位することを特徴とする請求項１に記載の電子機器。
【請求項３】
前記第２の操作子は、ボリュームツマミであることを特徴とする請求項１または２に記載の電子機器。
【発明の詳細な説明】
【技術分野】
【０００１】
この発明は、操作面を覆う閉状態と操作面を開放する開状態とに変位する蓋体を備えた電子機器に関する。
【背景技術】
【０００２】
オーディオ信号を増幅する増幅装置などの電子機器として、開閉自在な蓋体を備えたものがある（例えば、特許文献１参照。）。図２６及び図２７は、従来の電子機器の外観構成を示す斜視図である。従来の電子機器１は、フロントパネル２の一部に設けられた操作面３と、操作面３を覆う蓋体４と、複数の副操作子（第１の操作子）５と、副操作子より使用頻度が高い主操作子（第２の操作子）６と、を備えている。副操作子は例えば、カセットデッキ、ＣＤプレイヤ又はラジオなど信号源の選択を行う選択ボタンであり、主操作子は例えば、ボリュームツマミである。
【０００３】
副操作子５は操作面３に設けられている。蓋体４は、操作面３の下端を中心にして回動し、副操作子５の使用時に操作面３を開放し、副操作子５の不使用時に操作面３及び副操作子５を覆い隠す。主操作子６は、使用頻度が高いので、フロントパネル２のうち操作面３以外の部分に、常に露出した状態に設けられている。上述のように、従来の電子機器１では、使用頻度によって、主操作子６と副操作子５とがフロントパネル２のうち別の部分に離間して設けられている。
【特許文献１】実開平５−９０６７９号公報
【発明の開示】
【発明が解決しようとする課題】
【０００４】
上述のような従来の電子機器１では、主操作子６と副操作子５とがフロントパネル２のうち別の部分に離間して設けられているので、操作性がよくなかった。また、主操作子６と副操作子５とをともに単一の操作面３に設けた場合、蓋体４が閉状態のときに主操作子６が露出しなくなり、主操作子６の操作性が著しく低下する。さらに、従来の電子機器１の蓋体４に主操作子６を貫通させる孔を設けた場合、主操作子６を常に露出させることができる一方、主操作子６が蓋体４の開閉の妨げとなり、蓋体４を円滑に開閉することができなくなる。
【０００５】
この発明の目的は、第１の操作子及び第２の操作子をともに単一の操作面に設けるとともに第２の操作子を常に操作可能なように露出させることで操作性を向上し、かつ、蓋体を円滑に開閉させることができる電子機器を提供することにある。
【課題を解決するための手段】
【０００６】
この発明の電子機器は、上述の課題を解決するために以下のように構成される。
【０００７】
（１）操作面と、前記操作面に設けられた第１の操作子と、前記操作面に設けられ前記操作面に対して前記第１の操作子より突出した第２の操作子と、前記第２の操作子を貫通させる孔を有するとともに前記操作面の一端部近傍に軸支され前記操作面を覆う閉状態と前記操作面を開放する開状態とに変位する蓋体と、前記第２の操作子を前記操作面に対して垂直方向に移動させる移動機構と、を備えることを特徴とする。
【０００８】
この構成においては、第１の操作子と第２の操作子とが単一の操作面に設けられる。操作面が蓋体によって覆われた場合、第２の操作子は蓋体の孔を貫通して露出する。したがって、蓋体が閉状態である場合でも、ユーザは第２の操作子を操作可能である。蓋体は、操作面の一端部近傍を中心に回動することで、閉状態と開状態とに変位する。蓋体を閉状態から開状態に、又は、開状態から閉状態に変位させる場合、第２の操作子は操作面からの突出量が小さくなるように配置される。
【０００９】
（２）前記蓋体は、前記操作面からの突出量が小さくなる方向への前記第２の操作子の移動に応じて閉状態から開状態へ変位することを特徴とする。
【００１０】
この構成においては、操作面からの突出量が減少する方向へ第２の操作子が移動した場合に、第２の操作子の移動に応じて蓋体が閉状態から開状態に変位する。
【００１１】
（３）前記第２の操作子は、ボリュームツマミであることを特徴とする。
【００１２】
この構成においては、第２の操作子は、第１の操作子に比べて使用頻度が高いボリュームツマミである。使用頻度が高い第２の操作子は、常に露出した状態に設けられる。
【発明の効果】
【００１３】
この発明によれば、以下の効果を奏することができる。
【００１４】
（１）蓋体に孔を設けることで、第２の操作子が常に露出する状態に第１の操作子及び第２の操作子をともに単一の操作面に設けることができる。また、蓋体の開閉時に第２の操作子を操作面からの突出量が小さくなるように配置することで、蓋体の孔を大きくすることなく蓋体を円滑に開閉することができる。
【００１５】
（２）第２の操作子の移動に応じて蓋体が開くようにしたので、第２の操作子を移動させる操作と別に蓋体を開く操作を必要とせず、操作性が向上する。
【００１６】
（３）使用頻度の高いボリュームツマミを常に露出した状態に設けたので、操作性が向上する。また、ボリュームツマミが妨げになることなく、蓋体を開閉させることができる。
【発明を実施するための最良の形態】
【００１７】
以下に、この発明の実施形態について図面に基づいて説明する。図１は、この発明の実施形態に係る電子機器の蓋体が閉状態であるときの外観構成を示す斜視図であり、図２は、蓋体が開状態であるときの外観構成を示す斜視図である。この実施形態に係る電子機器１０は、フロントパネル１１、蓋体１２、主操作子１３、複数の副操作子１４、及び、移動機構１５（図７参照）等を備えている。
【００１８】
電子機器１０は例えば、オーディオ信号を増幅する増幅装置である。主操作子１３は、この発明の第２の操作子に相当し、例えばボリュームツマミである。副操作子１４は、この発明の第１の操作子に相当し、例えば、カセットデッキ、ＣＤプレイヤ又はラジオなど信号源の選択を行うための選択ボタンである。
【００１９】
フロントパネル１１の一部に操作面１６が設けられている。主操作子１３及び副操作子１４は、操作面１６上に設けられている。主操作子１３は、副操作子１４より使用頻度が高く、操作面１６に対して副操作子１４より突出している。蓋体１２は、主操作子１３を貫通させる孔１７を有している。
【００２０】
図３〜図６は、電子機器１０の概略の構成を示す側面断面図である。蓋体１２は、支点部１８をさらに有し、支点部１８は操作面１６の下端部近傍に軸支されている。蓋体１２は、支点部１８を中心に回動し、操作面１６を覆う閉状態と、操作面１６を開放する開状態と、に変位する。蓋体１２が閉状態にされた場合、副操作子１４は蓋体１２に覆い隠されて操作不可能になる一方、主操作子１３は、孔１７を貫通して蓋体１２の外方に露出し、使用可能である。蓋体１２が開状態にされた場合、主操作子１３及び副操作子１４がともに使用可能になる。
【００２１】
移動機構１５は、主操作子１３を操作面１６に対して垂直方向に移動自在にしている。移動機構１５の詳細については後述する。主操作子１３は、操作面１６に対する突出量が大きい突出位置（図３参照）と、操作面１６に操作面１６に対する突出量が小さい退避位置（図４参照）と、に移動する。主操作子１３は、突出位置に配置された状態において閉状態の蓋体１２からも突出し、退避位置に配置された状態において閉状態の蓋体１２から突出しない。
【００２２】
図３に示すように、主操作子１３は、蓋体１２が閉状態である場合、突出位置に配置されている。そして、図４〜図６に示すように、蓋体１２を閉状態から開状態に変位させる場合、まず主操作子１３を退避位置に移動させてから、次に蓋体１２を開状態に変位させる。したがって、主操作子１３の外周面と蓋体１２の穴１７の内周面との隙間の間隔Ｈを大きくすることなく、蓋体１２が円滑に開閉される。
【００２３】
図７〜図１１は、電子機器１０の移動機構１５の構成を示す透視図である。移動機構１５は、ホルダ２１、ガイド２２、フレーム２３、バネ２４、および、ロック爪２５を備えている。主操作子１３は、ホルダ２１に保持されている。主操作子１３はガイド２２に沿って移動し、ホルダ２１はフレーム２３に沿って移動する。ガイド２２及びフレーム２３は所定位置に固定されている。ホルダ２１の背部にバネ２４が配置され、バネ２４の一端はホルダ２１に固定され、バネ２４の他端はフレーム２３に固定されている。バネ２４は、ホルダ２１を前方（図９において左方向）に付勢している。
【００２４】
ホルダ２１は、底部に突起部２６を有し、上部に、水平方向に延設された延設部２７を有している。フレーム２３はラッチ２８を有し、主操作子１３が退避位置に移動したとき、ホルダ２１の突起部２６とフレーム２３のラッチ２８とが係合し、主操作子１３が退避位置にロックされる。また、退避位置にロックされている主操作子１３がさらに押されることで、突起部２６とラッチ２８との係合が解除され、主操作子１３はバネ２４の弾性力によって突出位置に移動する。
【００２５】
図１０に示すように、ロック爪２５は、蓋体１２と係合し蓋体１２を閉状態にロックするロック位置と、蓋体１２との係合が解除される解除位置と、に変位自在に配置されている。主操作子１３が突出位置にあるとき、ホルダ２１の延設部２７がロック爪２５と係合し、ロック爪２５がロック位置に配置される。また、主操作子１３が突出位置から退避位置へ移動したとき、ホルダ２１の延設部２７とロック爪２５との係合が解除され、ロック爪２５が解除位置に変位し、蓋体１２が開状態になる。
【００２６】
電子機器１０によれば、蓋体１２に孔１７を設けたことで、主操作子１３及び副操作子１４を単一の操作面１６に設けるとともに、主操作子１３を常に露出させ操作可能な状態にすることができる。使用頻度が高い主操作子１３を常に操作可能な状態に設けたことで、操作性を向上させることができるとともに、主操作子１３より使用頻度が低い副操作子１４を不使用時に蓋体１２で覆い隠しておくことで、誤操作及び副操作子１４への埃の付着を防止することができる。
【００２７】
また、主操作子１３を操作面１６からの突出量が小さくなる退避位置に移動させた状態で蓋体１２を開閉させるので、蓋体１２の孔１７を大きくしなくても主操作子１３が蓋体１２の開閉の妨げになることがなく、蓋体１２を円滑に開閉することができる。したがって、主操作子１３の外周面と蓋体１２の穴１７の内周面との隙間の間隔Ｈを大きくする必要がなく、孔１７を通って操作面１６へ埃等が侵入することを抑制することができる。また、従来は間隔Ｈを大きくすることなく蓋体１２を円滑に開閉するためには、図１２に示すように、主操作子１１３の形状が所定の形状に規制されたが、この発明の電子機器１０では、主操作子１３が突出位置と退避位置とに移動し、主操作子１３が蓋体１２の開閉の妨げにならないので、主操作子１３の形状が規制されない。
【００２８】
さらに、蓋体１２が開状態に変位するときに主操作子１３を退避位置に移動させることで、蓋体１２が閉状態のときの蓋体１２に対する主操作子１３の突出量Ｔ１（図３参照）と、蓋体１２が開状態のときの操作面１６に対する主操作子１３の突出量Ｔ２（図６参照）と、の差を小さくすることができる。したがって、蓋体１２が閉状態のときと開状態のときとで、見かけ上の主操作子１３の形状を略同一にでき、主操作子１３の操作性を向上させることができる。
【００２９】
また、主操作子１３の退避位置への移動に応じて蓋体１２が開位置へ変位するようにしたことで、主操作子１３を移動させる操作と別に蓋体１２を開くための操作を必要とせず、操作性を向上させることができる。
【００３０】
電子機器１０がオーディオ信号を増幅する増幅装置であり、主操作子１３がボリュームツマミである場合、増幅装置におけるボリュームツマミの使用頻度は他の操作子に比べて非常に高い。そして、ボリュームツマミと副操作子１４とを単一の操作面１６に設けたにも関わらず、ボリュームツマミのみが常に露出し操作可能な状態であり、かつ、ボリュームツマミが妨げになることなく蓋体１２を円滑に開閉させることができるように構成したので、電子機器１０が増幅装置であり主操作子１３がボリュームツマミである場合、操作性を向上させることができる等の効果がいっそう顕著になる。
【００３１】
なお、蓋体１２は、操作面１６の上端部近傍に軸支され、操作面１６の上端部近傍を中心に回動することで閉状態と開状態とに変位する構成にしてもよい。同様に、蓋体１２は、操作面１６の側端部近傍に軸支され、操作面１６の側端部近傍を中心に回動することで閉状態と開状態とに変位する構成にしてもよい。
【００３２】
また、副操作子１４は、スピーカへ出力する信号の左右バランスを設定する設定ボタン等である場合もある。
【００３３】
図１３〜図２３は、他の実施形態に係る電子機器１０ａの構成を示す透視図である。この実施形態に係る電子機器１０ａは、主操作子１３の移動機構及び蓋体１２を開閉させる構成を除いて、上述の実施形態に係る電子機器１０と同様に構成されている。まず、図１３〜図２１に基づいて、電子機器１０ａの移動機構１５ａについて説明する。電子機器１０ａの移動機構１５ａは、モータ３１、モータ３１の駆動軸に設けられたモータプーリ３２、プーリ３３とウォーム３４とを有する中間伝達歯車３５、ベルト３６、直径が異なる大歯車３７と小歯車３８とを有する２段歯車３９、フレーム４０、小歯車３７と噛み合うラック４１を有するホルダ４２、ガイド４３、及び、スイッチ４４を備えている。
【００３４】
図１３に示すスイッチ４４が押下されると、モータ３１が駆動を開始する。図１７及び図１８に示すように、モータ３１の駆動軸に設けられたモータプーリ３２と、中間伝達歯車３５のプーリ３３とに、ベルト３６が張架されている。モータ３１が駆動することによるモータプーリ３２の回転力は、ベルト３６を介してプーリ３３に伝達され、中間伝達歯車３５が回転する。
【００３５】
図１５に示すように、中間伝達歯車３５のウォーム３４と２段歯車３９の大歯車３７とが噛み合い、ウォーム３４と大歯車３７とでウォームギアを構成している。中間伝達歯車３５の回転力は２段歯車３９に伝達される。図１９に示すように、２段歯車３９は、フレーム４０に保持されている。２段歯車３９の大歯車３７と小歯車３８とは同軸上に一体的に形成されている。
【００３６】
図２０に示すように、２段歯車３９の小歯車３８とホルダ４２のラック４１とが噛み合っている。ホルダ４２は、フレーム４０に案内され、２段歯車３９から回転力を伝達されることによって、操作面１６に対して垂直方向に移動する。主操作子１３はホルダ４２に保持されている。図２１に示すように、主操作子１３は、ガイド４３に案内され、ホルダ４２とともに操作面１６に対して垂直方向に移動する。上述のようにして、主操作子１３は、スイッチ４４の押下によって突出位置と退避位置とに移動する。
【００３７】
つぎに、図２２及び図２３に基づいて、電子機器１０ａの蓋体１２を開閉させる構成について説明する。電子機器１０ａは、蓋体１２を開閉させる構成として、蓋体１２の開閉用のモータ５１、モータ５１の駆動軸に設けられたウォーム５２、大歯車及び小歯車をそれぞれ有する３個の２段歯車５３〜５５、セクタ歯車５６、及び、センサ５７を備えている。
【００３８】
ウォーム５２と２段歯車５３の大歯車とが噛み合い、２段歯車５３の小歯車と２段歯車５４の大歯車とが噛み合い、２段歯車５４の小歯車と２段歯車５５の大歯車とが噛み合い、２段歯車５５の小歯車とセクタ歯車５６とが噛み合っている。図２３に示すように、セクタ歯車５６のアーム５８は蓋体１２に固定されている。
【００３９】
センサ５７は、フロントパネル１１の内部に、一部が外部に突出するように配置されている。そして、蓋体１２が閉状態であるか又は開状態であるかを検出する。
【００４０】
スイッチ４４（図１３参照）が押下された場合、モータ５１が駆動を開始し、ウォーム５２を回転させる。ウォーム５２の回転力は、３個の２段歯車５３〜５５によって減速されて、セクタ歯車５６に伝達され、蓋体１２が開状態又は閉状態に変位する。
【００４１】
ここで、スイッチ４４が押下された場合、モータ３１及びモータ５１はそれぞれ所定のタイミングで駆動を開始するように制御されている。スイッチ４４が押下され、センサ５７によって蓋体１２が閉状態であることが検出された場合、主操作子１３が突出位置から退避位置へ移動した後に、蓋体１２が閉状態から開状態に変位するように、モータ３１及びモータ５１の駆動開始のタイミングが制御されている。また、スイッチ４４が押下され、センサ５７によって蓋体１２が開状態であることが検出された場合、蓋体１２が開状態から閉状態に変位した後に、主操作子１３が退避位置から突出位置へ移動するように、モータ３１及びモータ５１の駆動開始のタイミングが制御されている。
【００４２】
電子機器１０ａによれば、蓋体１２が閉状態であるときにスイッチ４４を押下することによって、主操作子１３を退避位置へ移動させた後に蓋体１２を円滑に開状態に変位させることができる。また、蓋体１２が開状態であるときにスイッチ４４を押下することによって、蓋体１２を円滑に閉状態に変位させた後に主操作子１３を突出位置へ移動させることができる。上述のように、主操作子１３と副操作子１４とを単一の操作面１６に設けるとともに主操作子１３を常に操作可能なように露出させ、かつ、スイッチ４４を押下するのみで、蓋体１２を円滑に開閉させることができる。
【００４３】
図２４及び図２５は、さらに他の実施形態に係る電子機器１０ｂの外観構成を示す斜視図である。この実施形態に係る電子機器１０ｂでは、操作面１６ｂは、フロントパネル１１ｂの前面の全領域に設けられている。そして、蓋体１２ｂは、閉状態においてフロントパネル１１ｂの前面の全領域を覆うように形成されている。操作面１６ｂがフロントパネル１１ｂの前面の全領域に設けられ、蓋体１２ｂが閉状態において操作面１６ｂの全てを覆うように形成されていることを除いて、電子機器１０ｂは電子機器１０と同様に形成されている。
【００４４】
電子機器１０ｂによれば、前面の全てを蓋体１２ｂで覆うことができ、前面におけるフロントパネル１１ｂと蓋体１２ｂとの隙間をなくし、操作面１６ｂへの埃等の侵入をいっそう抑制することができる。また、デザイン性が向上する。
【図面の簡単な説明】
【００４５】
【図１】この発明の実施形態に係る電子機器の蓋体が閉状態であるときの外観構成を示す斜視図である。
【図２】前記電子機器の蓋体が開状態であるときの外観構成を示す斜視図である。
【図３】前記電子機器の概略の構成を示す側面断面図である。
【図４】前記電子機器の概略の構成を示す側面断面図である。
【図５】前記電子機器の概略の構成を示す側面断面図である。
【図６】前記電子機器の概略の構成を示す側面断面図である。
【図７】前記電子機器の移動機構の構成を示す透視図であり、（ａ）は一部の構成を示す平面図であり、（ｂ）は正面図であり、（ｃ）は一部の構成を示す底面図である。
【図８】前記電子機器の移動機構の構成を示す側面透視図であり、（ａ）は蓋体が閉状態であるときの構成を示し、（ｂ）は蓋体が開状態であるときの構成を示している。
【図９】前記電子機器の移動機構の構成を拡大的に示す側面透視図であり、（ａ）は蓋体が閉状態であるときの構成を示し、（ｂ）は蓋体が開状態であるときの構成を示している。
【図１０】前記電子機器の移動機構の一部の構成を拡大的に示す側面透視図であり、（ａ）は蓋体が閉状態であるときの構成を示し、（ｂ）は蓋体が開状態であるときの構成を示している。
【図１１】前記電子機器の移動機構の一部の構成を拡大的に示す側面透視図である。
【図１２】前記電子機器に対する比較例の構成を示す側面断面図である。
【図１３】他の実施形態に係る電子機器の移動機構の構成を示す透視図であり、（ａ）は一部の構成を示す平面図であり、（ｂ）は正面図であり、（ｃ）は一部の構成を示す底面図である。
【図１４】図１３に示す電子機器の移動機構の構成を拡大的に示す透視図であり、（ａ）は平面図であり、（ｂ）は正面図である。
【図１５】図１３に示す電子機器の移動機構の一部の構成を拡大的に示す平面透視図である。
【図１６】図１３に示す電子機器の移動機構の構成を示す側面透視図であり、（ａ）は蓋体が閉状態であるときの構成を示し、（ｂ）は蓋体が開状態であるときの構成を示している。
【図１７】図１３に示す電子機器の移動機構の構成を拡大的に示す側面透視図であり、（ａ）は蓋体が閉状態であるときの構成を示し、（ｂ）は蓋体が開状態であるときの構成を示している。
【図１８】図１３に示す電子機器の移動機構の一部の構成を拡大的に示す側面透視図である。
【図１９】図１３に示す電子機器の移動機構の一部の構成を拡大的に示す側面透視図である。
【図２０】図１３に示す電子機器の移動機構の一部の構成を拡大的に示す側面透視図であり、（ａ）は蓋体が閉状態であるときの構成を示し、（ｂ）は蓋体が開状態であるときの構成を示している。
【図２１】図１３に示す電子機器の移動機構の一部の構成を拡大的に示す側面透視図であり、（ａ）は蓋体が閉状態であるときの構成を示し、（ｂ）は蓋体が開状態であるときの構成を示している。
【図２２】図１３に示す電子機器の蓋体を開閉させる構成を拡大的に示す側面透視図であり、（ａ）は蓋体が閉状態であるときの構成を示し、（ｂ）は蓋体が開状態であるときの構成を示している。
【図２３】図１３に示す電子機器の蓋体を開閉させる構成の一部を拡大的に示す側面透視図である。
【図２４】さらに他の実施形態に係る電子機器の蓋体が閉状態であるときの外観構成を示す斜視図である。
【図２５】図２４に示す電子機器の蓋体が開状態であるときの外観構成を示す斜視図である。
【図２６】従来の電子機器の蓋体が閉状態であるときの外観構成を示す斜視図である。
【図２７】図２６に示す従来の電子機器の蓋体が開状態であるときの外観構成を示す斜視図である。
【符号の説明】
【００４６】
１０，１０ａ，１０ｂ  電子機器
１２，１２ｂ  蓋体
１３  主操作子（第２の操作子）
１４  副操作子（第１の操作子）
１５，１５ａ  移動機構
１６，１６ｂ  操作面
１７  孔
【図１】
2006165199.tif 000003
【図２】
2006165199.tif 000004
【図３】
2006165199.tif 000005
【図４】
2006165199.tif 000006
【図５】
2006165199.tif 000007
【図６】
2006165199.tif 000008
【図７】
2006165199.tif 000009
【図８】
2006165199.tif 000010
【図９】
2006165199.tif 000011
【図１０】
2006165199.tif 000012
【図１１】
2006165199.tif 000013
【図１２】
2006165199.tif 000014
【図１３】
2006165199.tif 000015
【図１４】
2006165199.tif 000016
【図１５】
2006165199.tif 000017
【図１６】
2006165199.tif 000018
【図１７】
2006165199.tif 000019
【図１８】
2006165199.tif 000020
【図１９】
2006165199.tif 000021
【図２０】
2006165199.tif 000022
【図２１】
2006165199.tif 000023
【図２２】
2006165199.tif 000024
【図２３】
2006165199.tif 000025
【図２４】
2006165199.tif 000026
【図２５】
2006165199.tif 000027
【図２６】
2006165199.tif 000028
【図２７】
2006165199.tif 000029